(57)【要約】【課題】バリ対策が不要である羽根駆動装置を提供する。【解決手段】シャッタ装置１は、開口３８を有する地板３０と、地板３０に形成されたガイド突起３３、３４と係合する長孔１１、２１を有して所定方向への移動が案内され開口３８を開閉する羽根１０、２０とを備えている。地板３０は、プレス加工により形成され、ガイド突起３３、３４は、プレス加工後に地板３０の一部分を折り曲げて立脚されて形成され、プレス加工により生じるバリを長孔１１、２１の長手方向に逃がすように長孔１１、２１と係合する。つまり、ガイド突起３３、３４は、ガイド突起３３、３４の幅方向Ｗ３３と長孔１１、２１の幅方向Ｗ１１とが略平行となるように長孔１１、２１と係合する。【選択図】          図５
2008083225.tif 000002
【特許請求の範囲】
【請求項１】
開口を有する地板と、前記地板に形成されたガイド突起と係合する長孔を有して所定方向への移動が案内され前記開口を開閉する羽根とを備え、
前記地板は、プレス加工により形成され、
前記ガイド突起は、前記プレス加工後に折り曲げて立脚されて形成され、前記プレス加工により生じるバリを前記長孔の長手方向に逃がすように前記長孔と係合する、ことを特徴とする羽根駆動装置。
【請求項２】
前記ガイド突起は、その幅方向と前記長孔の幅方向とが略平行となるように前記長孔と係合する、ことを特徴とする請求項１に記載の羽根駆動装置。
【請求項３】
前記ガイド突起は、その先端が面取されている、ことを特徴とする請求項１又は２に記載の羽根駆動装置。
【請求項４】
前記羽根を前記地板との間で挟み込むように配置された羽根押え板を備えている、ことを特徴とする請求項１乃至３の何れかに記載の羽根駆動装置。
【発明の詳細な説明】
【技術分野】
【０００１】
本発明は、羽根駆動装置に関する。
【背景技術】
【０００２】
カメラに用いられる羽根駆動装置としては、開口を有する地板と、前記開口の光量を調整する羽根と、前記羽根を駆動させる駆動部材とを備えたものが知られている。詳細には、地板には、羽根に形成された長孔に係合するガイド突起が形成されており、このガイド突起により羽根の移動方向が案内される。このようなガイド突起は、地板に金属板が用いられる場合、プレス加工により打ちぬかれた地板の一部分を屈曲させることにより、地板と一体に形成される。
【０００３】
しかし、地板に金属板を用いるとその縁部にバリが発生し、特にガイド突起にバリが発生した場合、羽根の円滑な移動の妨げになる場合がある。このような問題を解決すべく特許文献１には、ガイド突起に生じるバリよりも高い膨出部をガイド突起に形成することにより、バリ面に羽根が接触して引掛かりを生じないように構成してある。
【０００４】
【特許文献１】特開平８−３０４８７３号公報
【発明の開示】
【発明が解決しようとする課題】
【０００５】
このような膨出部は、地板のプレス加工時に型付されて形成されるものであり、膨出部が形成された後に屈曲されてガイド突起として形成される。このため、屈曲時に地板に延び縮みが生じるため、膨出部を正確に所望の厚みで形成することは困難であった。特許文献１では、膨出部の厚みを正確に形成するために、ガイド突起に小孔を設けて、曲げによる伸び縮みが生じないようにしてある。
このように、実際上膨出部を形成するためには、煩雑な作業を行う必要があった。
【０００６】
そこで本発明は、バリ対策が不要である羽根駆動装置を提供する。
【課題を解決するための手段】
【０００７】
上記目的は、開口を有する地板と、前記地板に形成されたガイド突起と係合する長孔を有して所定方向への移動が案内され前記開口を開閉する羽根とを備え、前記地板は、プレス加工により形成され、前記ガイド突起は、前記プレス加工後に折り曲げて立脚されて形成され、前記プレス加工により生じるバリを前記長孔の長手方向に逃がすように前記長孔と係合する、ことを特徴とする羽根駆動装置によって達成できる。
この構成により、ガイド突起に生じるバリを長孔の長手方向に逃がすようにガイド突起と長孔とが係合するので、ガイド突起にバリが生じてもバリを長孔に逃がすことができる。このため、特別なバリ対策を行うことなく、羽根の移動を長孔が形成された方向へと案内することができる。
【０００８】
また、上記構成において、前記ガイド突起は、その幅方向と前記長孔の幅方向とが略平行となるように前記長孔と係合する、構成を採用できる。
この構成により、ガイド突起の幅方向と長孔の幅方向とが略垂直となって係合する場合と比較し、ガイド突起の厚みが薄い場合であっても容易に組付けることができる。また、地板に薄い板を採用できるため、羽根駆動装置の薄型化が実現できる。
【０００９】
また、上記構成において、前記ガイド突起は、その先端が面取されている、構成を採用できる。
この構成により、ガイド突起を立脚させた後に、ガイド突起に長孔を嵌める事が容易となる。また、プレスの金型の寿命を延ばせるため、製品にかかるコストを安くすることができる。
【００１０】
前記羽根を前記地板との間で挟み込むように配置された羽根押え板を備えている、構成を採用できる。
この構成により、組付け後に長孔とガイド突起との係合状態が外れるのを防止できる。
【発明の効果】
【００１１】
本発明によれば、バリ対策が不要である羽根駆動装置を提供できる。
【発明を実施するための最良の形態】
【００１２】
以下、図面を参照して本発明に係る実施例を説明する。
図１は、本実施例に係る羽根駆動装置としてのシャッタ装置の構成を示した図であり、図１（ａ）は、全開状態でのシャッタ装置の正面図、図１（ｂ）は、シャッタ装置の側面図を示している。図２は、全閉状態でのシャッタ装置の正面図、図３は、地板の正面図である。
シャッタ装置１は、第１羽根１０、第２羽根２０、地板３０、駆動レバー（駆動部材）４０、駆動機構５０などから構成される。
第１羽根１０及び第２羽根２０は、駆動レバー４０の駆動によって地板３０に形成されたシャッタ開口３８を開閉する。
駆動レバー４０は、アクチュエータ（不図示）を内蔵した駆動機構５０によって所定の範囲を回動する。
【００１３】
第１羽根１０には、地板３０に形成されたガイド突起３３と係合する長孔１１が、地板３０の外縁に対して斜めに直線状に形成されている。また、第１羽根１０は、駆動レバー４０のアーム部４３の先端部から被写体側に突出した出力ピン４１と連結している。そして、駆動レバー４０の駆動が第１羽根１０に伝達される。また、第１羽根１０には、シャッタ開口３８から退避した位置でシャッタ開口３８を全開状態とするように切欠部１２が形成されている。
【００１４】
第２羽根２０には、地板３０に形成されたガイド突起３４と係合する長孔２１が、長孔１１とは反対向きに傾斜して直線状に形成されている。また、第２羽根２０は、駆動レバー４０のアーム部４４の先端部から被写体側に突出した出力ピン４２と連結している。そして、駆動レバー４０の駆動が第２羽根２０に伝達される。また、第２羽根２０には、シャッタ開口３８から退避した位置でシャッタ開口３８を全開状態とするように開放用開口２２がその中央部に形成されている。
【００１５】
地板３０は、上述したように中央部にシャッタ開口３８が形成され、シャッタ開口３８を通過した被写体光が、撮像素子（不図示）上に結像される。撮像素子は、図１（ｂ）の下方側に配置される。
また、地板３０には、出力ピン４１、４２の回動軌跡に沿った円弧状の案内孔３１、３２が軸部４５を中心とする両側部に形成されている。また、ガイド突起３３、３４が、シャッタ開口３８を中心とする両側部に形成されている。また、地板３０には、軸部４５を中心として逃げ穴３９が形成されている。
また、地板３０は、金属製の薄板でプレス加工により形成される。
【００１６】
駆動レバー４０は、軸部４５からアーム部４３及びアーム部４４が延伸して形成されている。また、アーム部４３及びアーム部４４の先端には、それぞれ出力ピン４１及び出力ピン４２が形成されている。また、軸部４５は、駆動機構５０に内蔵されたアクチュエータ（不図示）と連結されて回動する。
駆動機構５０は、樹脂製の連結部材８２を介して、ねじ９２により地板３０に固定される。
【００１７】
図１（ａ）に示した全開状態において、駆動レバー４０が時計方向に回動することにより、第１羽根１０と第２羽根２０とがシャッタ開口３８の上部で交差するようにして、図２に示すように全閉状態を画定する。
【００１８】
また、羽根押え板６０は、第１羽根１０及び第２羽根２０を挟みこむようにして地板３０に、ねじ９１により固定されている。ねじ９１は、羽根押え板６０及び地板３０を挟み込むようにして、地板３０の結像側（撮像素子側）に配置された樹脂製の固定部材８１と螺合する。固定部材８１を介してねじ９１を螺合するのは、羽根押え板６０及び地板３０の厚さが薄いことによる。シャッタ装置１を薄型化するために地板３０、羽根押え板６０を薄い板で形成しているため、ねじ９１との螺合量が少なくなり、ねじ９１のみでの地板３０と羽根押え板６０との固定が困難である。このため、固定部材８１を用いて地板３０と羽根押え板６０とを挟み込んで固定している。尚、図１（ａ）には、構成を明確化するためにねじ９１、ねじ９２などについては省略してある。また、図１（ａ）及び図２には、羽根押え板６０については省略してある。
【００１９】
次に、ガイド突起３３、ガイド突起３４について詳細に説明する。
図３に示すように、ガイド突起３３、ガイド突起３４は、シャッタ開口３８の中心を通過して地板３０の長手方向と平行な仮想線に対して対象な位置に形成されている。
このガイド突起３３、ガイド突起３４は、プレス加工後に折り曲げて光軸方向の被写体側に向けて立脚して形成されている。図３の図面に対して垂直方向の手前から裏面に向かって金型が動いてプレス加工される。従って、ガイド突起３３、ガイド突起３４は、地板３０の厚みと同じ厚みを有した板状に形成される。尚、ガイド突起３３、ガイド突起３４のぞれぞれの近傍に形成された孔部３５、孔部３６は、プレス加工時にパンチによって抜き落とされて形成されたものである。
【００２０】
図４は、立脚される前後でのガイド突起の状態を示した拡大図である。
図４（ａ）は、折り曲げられる前のガイド突起３３の拡大図であり、図４（ｂ）は、折り曲げ後のガイド突起３３の拡大図である。ガイド突起３３は、先端部が面取され半円状に抜き加工された後に、図面手前側に曲げ加工がされて立脚される。
尚、ガイド突起３４についても同様の方法で形成される。
【００２１】
図５は、ガイド突起と長溝との係合状態についての説明図である。
図５（ａ）は、ガイド突起３３と長孔１１との係合状態を示した斜視図であり、図５（ｂ）は、図５（ａ）のＡ−Ａ断面図であり、図５（ｃ）は、図５（ａ）のＢ−Ｂ断面図である。図５（ｄ）は、ガイド突起３３の縁部に形成されたバリ３３ａを示した拡大図である。
【００２２】
図３の手前側から裏面側に向かってプレス加工されたため、図５（ｂ）に示すように、ガイド突起３３には、縁部の図面左側にバリ３３ａが発生する。図５（ｃ）では、ガイド突起３３の縁部にバリ３３ａが発生していることを示している。（バリ３３ａの突出方向は図面手前側となる。）しかしながら、図５（ｄ）に示すように、バリ３３ａの突出方向を長孔１１の長手方向と略同一方向にしてガイド突起３３と長孔１１とは係合する。別な言い方をすれば、ガイド突起３３の折り曲げラインＬ（図４参照）と長孔１１の長孔方向とが略直角に交わるようにガイド突起３３と長孔１１とは係合する。このため、バリ３３ａは長孔１１の長手方向に逃がされ、バリ３３ａにより第１羽根１０の駆動が阻害されることがなくなる。このように係合することによって、ガイド突起３３に対して特別なバリ対策を行うことなく、第１羽根１０の移動を円滑に案内することができる。
【００２３】
また、図５（ｄ）に示すように、ガイド突起３３は、その幅方向Ｗ３３と長孔１１の幅方向Ｗ１１とが略平行に配置した状態で長孔１１と係合する。
従来のように、ガイド突起の厚みと、ガイド突起と係合する長孔の幅とが対応して係合する場合、ガイド突起の厚みを考慮して長孔の幅を設定する必要がある。とくに、ガイド突起の厚みは、ガイド突起が形成される地板の厚みに依存するため、シャッタ装置を薄型化しようとして地板の厚みを薄くした場合には、長孔の幅もそれに対応して狭く形成する必要がある。このような場合には、幅の狭い長孔に対して薄いガイド突起を係合させる必要があるため、組付け性が悪化する。
これに対し本実施例に係るシャッタ装置１は、ガイド突起３３の幅と長孔１１の幅とが対応して係合するため、地板３０の厚みを薄くしてシャッタ装置１の薄型化を図った場合でも、地板３０の厚みに対応して長孔１１の幅を狭くする必要がなく組付け性が向上する。このため、組付け性を悪化させずにシャッタ装置を薄型化することができる。
【００２４】
また、長孔１１は、前述したように直線状に形成されているため、円弧状に形成されている場合と比較し、ガイド突起３３に生じたバリ３３ａの影響を受けることなく、第１羽根１０を長孔１１の長手方向に案内することができる。
【００２５】
また、ガイド突起３３をこのように形成した場合、第１羽根１０が被写体側に移動して、ガイド突起３３と長孔１１との係合が外れるおそれがあるが、羽根押え板６０が地板３０との間で第１羽根１０及び第２羽根２０を挟み込むようにして固定されているので、ガイド突起３３と第１羽根１０との係合が外れることはない。
【００２６】
また、ガイド突起３３はその先端部が、面取されて半円状に形成されるため、ガイド突起３３を立脚させた後に、ガイド突起３３に長孔１１を容易に係合することができる。従って、地板３０への第１羽根１０の組み付けが容易になる。またプレスの金型も面取されていないものを打ち抜くよりも応力が少なくなるので寿命が延ばせる。このため、製品にかかるコストを安くすることができる。
【００２７】
尚、ガイド突起３４と長孔２１とについても上述と同様の構成によって係合する。このため、ガイド突起３４に生じたバリ（不図示）も長孔２１の長手方向に逃がされ、バリにより第２羽根２０の駆動が阻害されることがなくなる。
【００２８】
以上本発明の好ましい実施形態について詳述したが、本発明は係る特定の実施形態に限定されるものではなく、特許請求の範囲に記載された本発明の要旨の範囲内において、変形・変更が可能である。例えば、実施例では、シャッタ装置について述べたが、これに限らず絞り装置等でもよい。
【図面の簡単な説明】
【００２９】
【図１】本実施例に係るシャッタ装置の構成を示した図である。
【図２】全閉状態でのシャッタ装置の正面図である。
【図３】地板の正面図である。
【図４】立脚される前後でのガイド突起の状態を示した拡大図である。
【図５】ガイド突起と長孔との係合状態についての説明図である。
【符号の説明】
【００３０】
１                    シャッタ装置
１０                  第１羽根
１１、２１            長孔
１２                  切欠部
２０                  第２羽根
２２                  開放用開口
３０                  地板
３１、３２            案内孔
３３、３４            ガイド突起
３３ａ                バリ
３５、３６            孔部
３８                  シャッタ開口
３９                  逃げ穴
４０                  駆動レバー（駆動部材）
４１、４２            出力ピン
４３、４４            アーム部
４５                  軸部
【図１】
2008083225.tif 000003
【図２】
2008083225.tif 000004
【図３】
2008083225.tif 000005
【図４】
2008083225.tif 000006
【図５】
2008083225.tif 000007